(57)【特許請求の範囲】
【請求項１】
所定のジョブを受け付けるジョブ受付手段を有し、前記ジョブ受付手段が受け付けた前記ジョブに応じて画像形成動作を実行する画像形成装置において、
装置本体の電源の遮断の実行指示を受け付ける遮断受付手段と、
前記遮断受付手段により前記電源の遮断の実行指示を受け付けた場合に、前記画像形成動作の実行中であるかを判断する実行中判断手段と、
前記実行中判断手段により前記画像形成動作の実行中であると判断した場合に、即時遮断を行うかの選択を要求するメッセージと、該選択に使用される選択キーとを表示する表示部と、
前記選択キーにより即時遮断を行うことが選択された場合、前記ジョブの中で前記画像形成動作を実行中の頁に係る該画像形成動作が終了したと判断した場合に前記電源を遮断する電源遮断手段とを備え、
前記選択キーにより即時遮断を行わないことが選択された場合、前記電源遮断手段は、前記遮断受付手段が前記遮断の実行指示を受け付けた後に前記ジョブ受付手段が受け付けた新たなジョブに応じた画像形成動作が全て終了したと判断した場合に前記電源を遮断することを特徴とする画像形成装置。
【請求項２】
前記選択キーにより即時遮断を行うことが選択された場合、前記ジョブ受付手段が受け付けたジョブの中で未終了である残りジョブの内容を不揮発性の記憶領域に記憶させる記憶手段
を備える請求項１に記載の画像形成装置。
【請求項３】
前記装置本体の起動時に、前記記憶領域を参照して、未終了である前記残りジョブの内容が記憶されているかを判断するジョブ内容判断手段を備え、
前記ジョブ内容判断手段により未終了である前記残りジョブの内容が記憶されていると判断した場合、前記画像形成装置は記憶されている前記残りジョブの内容に基づいて前記画像形成動作を実行すること
を特徴とする請求項２に記載の画像形成装置。
【発明の詳細な説明】
【０００１】
【発明の属する技術分野】
本発明は、複写機、ＦＡＸ、プリンタ等の画像形成装置に関する。
【０００２】
【従来の技術】
従来、所定のジョブに応じて画像形成部を駆動して−画像形成動作を実行することにより、例えば用紙に対して所定の情報をプリント出力するようにした画像形成装置がある。
【０００３】
近年の画像形成装置では、非使用時における無駄な電力の消費を抑制する等の省エネ対策がなされた画像形成装置も提案されている。
【０００４】
特開平９−２３０７５４号公報には、自ら主電源を遮断する主電源遮断手段と、この主電源遮断手段に対して主電源の遮断の実行を指示する主電源遮断指示キーとを設け、ジョブ実行中に主電源の遮断の実行指示を受け付けた場合には、当該ジョブを終了してから主電源を遮断するようにした画像形成装置が開示されている。これによって、主電源遮断指示キーにより主電源の遮断の実行を指示しておくことで、操作者が装置の目の前にいなくても、非使用時の無駄な電力の消費を抑制することが可能になる。
【０００５】
また、特開平９−２３０７５４号公報に開示された画像形成装置では、ジョブが正常に終了したかを判別してこの判別結果を表示部に表示させることで、操作者に対して、ジョブの終了状態を案内することが可能になる。
【０００６】
【発明が解決しようとする課題】
ところが、特開平９−２３０７５４号公報に開示された画像形成装置では、ジョブの実行中に主電源の遮断の実行が指示されて主電源の遮断の実行を待機している状態にある場合にも、通常のジョブ実行と同様の画像形成動作がなされる。また、ジョブが正常に終了したかの判断結果も主電源の遮断時に明らかとなる。このため、操作者に対して、主電源遮断を待機している状態であることを案内することができない。また、操作者に対して、画像形成動作が終了するまで主電源が適正に遮断されるかを確認させることができない。このため、実際に主電源が正常に遮断されるまで、操作者に対して、心理的な不安を与えてしまう。
【０００７】
また、特開平９−２３０７５４号公報に開示された画像形成装置では、主電源の遮断の実行が指示された後では新たなジョブの受け付けを行わない。つまり、一度主電源の遮断の実行が指示された場合には、主電源を遮断して、操作者の指示によって再起動してから新たに受け付けたジョブに係る画像形成動作を実行する。このため、操作者の作業が煩雑になり、操作者に係る負担が大きくなってしまう。
【０００８】
さらに、ジョブの実行中に主電源の遮断の実行が指示された場合には、当該ジョブが終了するまで主電源を遮断しない。このため、操作者は、都合等により遮断指示後直ちに主電源を遮断させたい場合にも、ジョブの終了まで主電源の遮断を待たなくてはならない。
【０００９】
またさらに、特開平９−２３０７５４号公報に開示された画像形成装置では、主電源の遮断の実行を伴う画像形成動作としてプリント出力の実行を指示した操作者が当該プリント出力が終了する前に装置から離れた場合、プリント出力された用紙が必要なものであるのかをこの操作者以外の者に対して判断させることができない。このため、例えば、プリント出力された用紙の処理について複数の者に聞いて回る等しなければならず、プリント出力された用紙の処理が煩雑になってしまう。
【００１２】
本発明は、非使用時における無駄な電力の消費を抑制し、状況に応じて主電源の遮断を実行するタイミングを変えることで利便性を向上させることができる画像形成装置を得ることを目的とする。
【００１５】
【課題を解決するための手段】
以上の目的を達成するため、この発明の画像形成装置は、所定のジョブを受け付けるジョブ受付手段を有し、上記ジョブ受付手段が受け付けた上記ジョブに応じて画像形成動作を実行する画像形成装置において、装置本体の電源の遮断の実行指示を受け付ける遮断受付手段と、上記遮断受付手段により上記電源の遮断の実行指示を受け付けた場合に、上記画像形成動作の実行中であるかを判断する実行中判断手段と、上記実行中判断手段により上記画像形成動作の実行中であると判断した場合に、即時遮断を行うかの選択を要求するメッセージと、その選択に使用される選択キーとを表示する表示部と、上記選択キーにより即時遮断を行うことが選択された場合、上記ジョブの中で上記画像形成動作を実行中の頁に係るその画像形成動作が終了したと判断した場合に上記電源を遮断する電源遮断手段とを設け、上記選択キーにより即時遮断を行わないことが選択された場合、上記電源遮断手段は、上記遮断受付手段が上記遮断の実行指示を受け付けた後に上記ジョブ受付手段が受け付けた新たなジョブに応じた画像形成動作が全て終了したと判断した場合に上記電源を遮断するようにしたものである。
【００１８】
このような画像形成装置において、上記選択キーにより即時遮断を行うことが選択された場合、上記ジョブ受付手段が受け付けたジョブの中で未終了である残りジョブの内容を不揮発性の記憶領域に記憶させる記憶手段を設けるとよい。
【００１９】
さらに、上記装置本体の起動時に、上記記憶領域を参照して、未終了である上記残りジョブの内容が記憶されているかを判断するジョブ内容判断手段を設け、上記ジョブ内容判断手段により未終了である上記残りジョブの内容が記憶されていると判断した場合、上記画像形成装置は記憶されている上記残りジョブの内容に基づいて上記画像形成動作を実行するようにするとよい。
【００４５】
【発明の実施の形態】
本発明の第１の実施の形態を、図１ないし図６に基づいて説明する。本実施の形態は、画像形成装置として複合機１への適用例である。ここで、複合機１とは、複写機、プリンタおよびファクシミリ(以下、ＦＡＸと称する)としての機能を、１台の機器で実行するものを意味する。
【００４６】
図１は本発明の第１の実施の形態の複合機１の概略構成を示す縦断正面図である。複合機１は、原稿の画像を読み取る画像読取ユニット２と、画像読取ユニット２で読み取った原稿の画像データに基づいた画像形成を電子写真方式で行う画像形成ユニット３と、画像形成ユニット３から排紙された用紙のステープル処理をするフィニッシャユニット４とを備えている。
【００４７】
また、複合機１は、操作者による所定のキー操作を受け付ける複数の操作キーと各種の情報を表示する表示部としての液晶ディスプレイＤとからなる操作部(図２参照)５７を備えている。
【００４８】
ここで、図２は操作部５７を示す平面図であり、図３は通常状態の複合機１の液晶ディスプレイＤの表示態様を示す平面図である。操作部５７に設けられた操作キーには、それぞれ操作されることにより、コピー枚数の設定等に使用される数字キー５７ａ、コピー動作の開始を指示するジョブ受付手段としてのコピースタートキー５７ｂ、設定した内容の取り消しや一定時間以上の押し下げにより予熱状態の設定を指示するモードクリア／予熱キー５７ｃ、主電源のＯＮ／ＯＦＦを切り替える遮断受付手段としての電源自動遮断スイッチ６０が設けられている。電源自動遮断スイッチ６０は、複合機１の不必要な消費エネルギーの抑制(以降、省エネとする)のために主電源の遮断の実行を指示する際に使用されるものであり、主電源を正規にＯＮ／ＯＦＦするスイッチ(図示せず)は、別に設けられている。
【００４９】
液晶ディスプレイＤの表示面側にはタッチパネルが積層されている。このタッチパネルのＸＹ座標と、液晶ディスプレイＤの表示内容との同期をとることにより、液晶ディスプレイＤも操作キーとして機能させる。液晶ディスプレイＤに表示される内容としては、操作ガイダンスや実行中のジョブの案内情報の他に、プリント出力する濃度の自動指定を指示する自動濃度キー５７ｄ、プリント出力する用紙の自動選択を指示する自動用紙選択キー５７ｅ、プリント出力する情報の変倍の実行を指示する変倍キー５７ｆ等のプリント出力における各種の条件を指定するキーや、ステープル処理の実行を指示するステープルキー５７ｇ、スタック処理の実行を指示するスタックキー５７ｈ、ソートプリントの実行を指示ソートキー５７ｉ等のプリント出力における各種の動作を指定するキー等の位置を案内する情報がある。また、操作部５７には、電源自動遮断スイッチ６０の操作に応じて点灯／消灯するＬＥＤランプとしての主電源ＯＮ  ＬＥＤ５７ｊと、主電源のスイッチのＯＮ／ＯＦＦ切替操作に応じて点灯／消灯する主電源ＬＥＤ５７ｋが設けられている。
【００５０】
画像読取ユニット２は、読取装置５と、自動原稿送り装置６とを備えている。
【００５１】
読取装置５は、原稿を載置するコンタクトガラス７と読取光学系８とを備えている。読取光学系８は、露光ランプ９、第１ミラー１０、レンズ１１、ＣＣＤイメージセンサ１２、第２ミラー１３および第３ミラー１４等で構成されている。露光ランプ９及び第１ミラー１０は、第１キャリッジ１５に搭載されている。第２ミラー１３及び第３ミラー１４は、第２キャリッジ１６に搭載されている。原稿の画像を読み取る際には、図示しないスキャナ駆動モータにより第１キャリッジ１５と第２キャリッジ１６とを２対１の速度比で駆動することで、原稿とＣＣＤイメージセンサ１２との光路長を一定にして露光走査する。露光走査された原稿の画像は、ＣＣＤイメージセンサ１２によって光学的に読み取られた後、電気信号に変換され、所定の画像処理がなされる。
【００５２】
自動原稿送り装置６は、原稿台１７にセットされたシート状の原稿を一枚ずつコンタクトガラス７上に自動的に供給する装置である。原稿台１７にセットされた原稿が原稿セット検知センサ６９によって原稿台１７上に原稿が載置されたことが検出されると、この原稿は、給送ローラ１８によって原稿読み取りセンサ１９上側の位置に送り込まれる。原稿は、原稿読み取りセンサ１９の上側を一定の速度で通過する際に、原稿読み取りセンサ１９に対峙する面の画像が読み取られる。画像が読み取られた原稿は、排紙トレイ７０に排紙される。
【００５３】
画像形成ユニット３は、書き込みユニット２０を備えている。この書き込みユニット２０は、レーザ出力ユニット２１、結像レンズ２２、ミラー２３で構成されている。特に図示しないが、レーザ出力ユニット２１の内部には、レーザ光源であるレーザダイオードと、モータによって高速かつ定速で回転する多角形ミラー(ポリゴンミラー)とが設けられている。書き込みユニット２０から出力されるレーザ光は感光体２４に照射され、これによって感光体２４の表面には静電潜像が形成される。
【００５４】
ここで、感光体２４の表面に形成された静電潜像を現像して用紙上に画像形成する画像形成動作の手順について、その概略を以下に説明する。まず、第１トレイ２５、第２トレイ２６、第３トレイ２７に積載された用紙を、各々、第１給紙装置２８、第２給紙装置２９、第３給紙装置３０によって給紙し、縦搬送ユニット３１によって感光体２４に当接する位置まで搬送する。書き込みユニット２０からのレーザ光によって、所定の画像データを感光体２４の表面に露光させることで静電潜像を形成する。この感光体２４上の静電潜像に対して、現像ユニット３３を通過する際にトナーを定着させることで顕像化し、感光体２４表面にトナー像を形成する。そして、感光体２４の回転と等速で回転する搬送ベルト３４によって用紙をタイミング調整して搬送しながら、感光体２４上のトナー像を転写させる。この用紙に対して、定着ユニット３５にて加圧および加熱することで転写させたトナー像を定着させた後、排紙ユニット３６によってフィニッシャユニット４に排出させる。ここに、画像読取ユニット２、書き込みユニット２０、感光体２４、現像ユニット３３、搬送ベルト３４および定着ユニット３５が画像形成手段とされている。
【００５５】
また、用紙の両面に画像を形成する場合は、第１トレイ２５、第２トレイ２６あるいは第３トレイ２７から給紙して片面に画像が形成された用紙を、反転経路切替爪(図示しない)を切り替えることにより、フィニッシャユニット４側に導かずに両面入紙搬送路３８に搬送し、反転ユニット３９でスイッチバック反転し、用紙揃えジョガー(図示せず)で両サイドを揃えた後に、両面搬送ローラ４１で駆動される両面搬送ユニット４２に送る。両面搬送ユニット４２に送られた用紙を再度縦搬送ユニット３１に送って裏面に画像を形成した後、フィニッシャユニット４に排紙する。
【００５６】
用紙を反転して排出する場合は、反転ユニット３９でスイッチバック反転した用紙を、両面搬送ユニット４２に送らずに反転排紙搬送路４３に送り出してフィニッシャユニット４に排紙する。
【００５７】
フィニッシャユニット４は、画像形成ユニット３から排紙された用紙を、一旦スタックするスタックトレイ４４と、スタックトレイ４４に溜められた用紙束を綴じるステープル処理を行うステープラユニット４５と、ステープル処理された用紙束が排紙される上排紙トレイ４６および下排紙トレイ４７とを備えている。上排紙トレイ４６および下排紙トレイ４７のそれぞれには、上排紙トレイ４６および下排紙トレイ４７に画像形成後の用紙の有無を検出する排紙センサ４８、４９が設けられている。
【００５８】
次に、図４に基づいて、複合機１の制御系の電気的な接続について作用的に説明する。複合機１は、複合機１を駆動制御するメイン制御部５０を備えている。このメイン制御部５０は、各部を集中的に駆動制御するＣＰＵ５１、制御プログラム等の固定的なデータを格納するＲＯＭ５２、可変的なデータを書き換え自在に記憶するＲＡＭ５３、主電源が遮断された状態でも各種のデータを記憶保持する不揮発性の記憶領域としての不揮発ＲＡＭ５４、パーソナルコンピュータ等の外部装置との間で情報の授受を行うシリアルＩ／Ｆ５５、時刻の計測や各部の同期をとるためのタイマ５６、および、パーソナルコンピュータ等の外部装置との間で情報の授受を行う通信インターフェイス(Ｉ／Ｆ)Ｓ等がバスライン接続されることにより形成されている。
【００５９】
ＲＡＭ５３は、コピースタートキー５７ｂの操作あるいは通信インターフェイスＳを介して受信した外部装置からの情報により、実行を指示された各種ジョブを一時記憶する。本実施の形態でのジョブとは、自動原稿送り装置６に載置された複数枚の原稿の画像をプリント情報として順次プリント出力する画像形成動作、あるいは、別のジョブ受付手段としての通信インターフェイスＳを介して外部装置から受け付けたプリント情報に基づいてプリント出力する画像形成動作の実行を指示するプリント情報およびコマンドである。
【００６０】
不揮発ＲＡＭ５４は、電池(図示せず)によりバックアップされており、複合機１の電源が遮断された状態でも記憶した内容を保持する。
【００６１】
メイン制御部５０には、感光体２４を回転させるためのモータ(図示せず)、第１、第２および第３給紙装置２８、２９、３０を駆動するモータ(図示せず)、反転ユニット３９の反転経路切替爪を操作するソレノイド(図示せず)、両面搬送ユニット４２の両面搬送ローラ４１を駆動するモータ(図示せず)、用紙揃えジョガーを駆動するモータ(図示せず)等が各種交流負荷あるいは各種直流負荷として接続されている。また、メイン制御部５０には、原稿読み取りセンサ１９や定着ユニット３５に設けられた温度センサ(図示せず)等の各種センサが接続されている。
【００６２】
メイン制御系５０の主電源は、商用主電源５８である。商用主電源５８には、ドライバ６２によりＯＮ／ＯＦＦ駆動制御されるソレノイド５９に接続された電源自動遮断スイッチ６０を介して、電源ユニット６１が接続／遮断自在に接続されている。詳細は後述するが、メイン制御系５０は、電源自動遮断スイッチ６０が手動により接続側へ切り替えられて商用主電源５８と電源ユニット６１とが接続されている際に、ドライバ６２を介してソレノイド５９を吸引側へ駆動制御して電源自動遮断スイッチ６０をＯＦＦ側へ動作させることにより主電源を遮断する。
【００６３】
ＣＰＵ５１や各種センサ等には、商用主電源５８で生成されたロジック負荷用定電圧Ｖｃｃが供給される。操作部５７の液晶ディスプレイ等には、商用主電源５８で生成された軽負荷用定電圧ＶＬが供給される。感光体２４を回転させるためのモータ、第１、第２および第３給紙装置２８、２９、３０を駆動するモータ、反転ユニット３９の反転経路切替爪を操作するソレノイド、両面搬送ユニット４２の両面搬送ローラ４１を駆動するモータ、用紙揃えジョガーを駆動するモータ等には、重負荷用定電圧ＶＨが供給される。
【００６４】
ところで、電源ユニット６１には、メイン制御部５０に接続されたドライバ６３によりＯＮ／ＯＦＦ駆動制御されるリレー６４、６５が接続されている。このリレー６４、６５によって、商用主電源５８で生成される軽負荷用定電圧ＶＬ、重負荷用定電圧ＶＨ等の出力を制御する。
【００６５】
加えて、メイン制御部５０には、自動原稿送り装置６、フィニッシャユニット４、操作部５７等が、シリアルＩ／Ｆ５５を介して接続されている。自動原稿送り装置６、フィニッシャユニット４、操作部５７等は、シリアルＩ／Ｆ５５を介して、メイン制御部５０により通信制御される。
【００６６】
次に、図５を参照して、複合機１が主電源遮断処理について説明する。図５は、主電源遮断処理の概略を示すフローチャートである。主電源遮断処理では、操作者によって電源自動遮断スイッチ６０が操作されることによる主電源の遮断の実行指示を受け付けたと判断するまで待機する(Ｓ１)。
【００６７】
ステップＳ１で、電源自動遮断スイッチ６０が操作されることによる主電源の遮断の実行指示を受け付けたと判断した場合には(Ｓ１のＹ)、主電源の遮断の実行指示を受け付けたと判断した時点でＲＡＭ５３に一時記憶したジョブを実行中であるか否かを判断する(Ｓ２)。ここに、実行中判断手段としての機能が実行される。
【００６８】
ステップＳ２で、主電源の遮断の実行指示を受け付けたと判断した時点でＲＡＭ５３に一時記憶したジョブを実行中であると判断した場合には(Ｓ２のＹ)、以下に述べるように、ＲＡＭ５３に一時記憶したジョブの内容から主電源の遮断を実行するまでの残り時間を算出する(Ｓ３)。ここに、主電源の遮断の実行指示が受け付けられた場合には、受け付けたジョブに基づいて残り時間が算出される残り時間算出手段としての機能が実行される。
【００６９】
ここで、残り時間の算出について説明する。残り時間は、実行するジョブにおいて画像が形成される用紙サイズと当該用紙サイズの画像を形成するために要する時間、画像形成後の用紙を排紙トレイへ排紙するまでに要する時間、指定枚数、排紙後の処理の時間等の残り時間算出要素に基づいて算出される。本実施の形態では、残り時間算出要素のうちＢ５、Ａ４等の規定の用紙サイズと、当該サイズの用紙に対してプリント出力する際に要する時間とが対応づけられて予めＲＯＭ５２に格納されている。また、別の残り時間算出要素として、ＲＯＭ５２には、画像形成後の用紙を排紙トレイへ排紙するまでに要する時間、排紙後の処理の時間等の予め規定される情報が格納されている。
【００７０】
通信インターフェイスＳを介して外部装置から受け付けたジョブに基づいて所定のプリント情報をプリント出力する場合の残り時間は、当該ジョブに含まれている残り時間算出要素としての用紙サイズとプリント枚数とに基づいて容易に算出することができる。一方、自動原稿送り装置に載置された複数枚の原稿の画像をプリント出力するジョブの実行に際しての残り時間は、例えば、自動原稿送り装置に載置された原稿の枚数、画像を形成させたい用紙サイズおよびプリント枚数の入力を要求するメッセージを液晶ディスプレイＤに表示させることで、操作者に対して入力を必要とする残り時間算出要素を把握させ、要求した所定の情報が入力された場合に算出することが可能である。
【００７１】
ステップＳ３で残り時間を算出すると、算出された残り時間と、主電源の遮断の実行の指示を受け付けたことを案内する案内情報としてのメッセージと、主電源の遮断の実行の中断指示を受け付ける中止受付手段としてのキャンセルキーＣを、液晶ディスプレイＤに表示させる(Ｓ４)。ここに、表示手段としての機能が実行される。
【００７２】
そして、液晶ディスプレイＤに所定事項を表示させた状態で、電源自動遮断スイッチ６０が操作されることによる主電源の遮断の実行指示を受け付けるまでにＲＡＭ５３に一時記憶したジョブが終了したと判断するまで、ＲＡＭ５３に一時記憶したジョブを続行する(Ｓ５)。ここに、終了判断手段としての機能が実行される。
【００７３】
なお、ステップＳ３で、情報の不足等により残り時間の算出が不可能である場合には、図６にしめすように、「電源遮断処理実行中です」等の主電源の遮断の実行が指示された旨を案内するメッセージＭとキャンセルキーＣとを液晶ディスプレイＤに表示させ、ＲＡＭ５３に一時記憶したジョブを続行する。
【００７４】
ステップＳ６で、ＲＡＭ５３に一時記憶したジョブが終了したと判断すると(Ｓ６のＹ)、主電源の遮断の実行が指示されてからＲＡＭ５３に一時記憶したジョブを終了するまでにキャンセルキーＣの操作があったか否かを判断する(Ｓ７)。ここに、中止判断手段としての機能が実行される。
【００７５】
ステップＳ７で、主電源遮断が指示されてからＲＡＭ５３に一時記憶したジョブを終了するまでにキャンセルキーＣの操作がないと判断すると(Ｓ７のＮ)、ソレノイドを吸引して電源自動遮断スイッチ６０をＯＦＦ側へ移動させることにより、主電源の遮断を実行する(Ｓ８)。ここに、主電源遮断手段としての機能が実行される。
【００７６】
一方、ステップＳ７で、主電源の遮断の実行が指示されてからＲＡＭ５３に一時記憶したジョブを終了するまでにキャンセルキーＣの操作があったと判断すると(Ｓ７のＹ)、主電源遮断を実行せずに電源遮断処理を終了する。主電源の遮断の実行中止の指示がない場合のみに主電源を遮断することにより、一度受け付けた主電源の遮断の実行指示を取り消すことが可能になるので、操作者に対して利便性の高い複合機１を提供することができる。
【００７７】
ここに、主電源の遮断の実行指示が受け付けられ、画像形成動作の実行中であると判断された場合には、主電源の遮断の実行が指示が受け付けられたことを案内するメッセージＭが表示部に表示され、画像形成動作が終了したと判断された場合に主電源が遮断される。
【００７８】
これによって、画像形成動作の実行中に主電源の遮断指示を受け付けることにより主電源の遮断が直ちに実行されない場合にも、実行中の画像形成動作に支障を来たすことなく、操作者に対して、主電源の遮断の実行を指示した操作者に対して、主電源の遮断の実行指示を受け付けた旨を案内することができ、非使用時における無駄な電力の消費を抑制し、操作者に対する心理的な不安を解消することができる。
【００７９】
なお、本実施の形態では、自動原稿送り装置６に載置された複数枚の原稿の画像をプリント情報として順次プリント出力する画像形成動作、あるいは、通信インターフェイスＳを介して外部装置から受け付けたプリント情報に基づいてプリント出力する画像形成動作の実行を指示するプリント情報およびコマンドをジョブとしたが、これに限るものではなく、例えば画像読取ユニット２での原稿の画像の読み取り、および、読み取った画像データを電子的に所定の記憶領域に記憶する画像形成動作の実行を指示するコマンドをジョブとしてもよい。
【００８０】
また、本実施の形態では、画像形成装置として複合機１に適用したが、これに限るものではなく、例えば、それぞれが単体で構成される複写機、プリンタ、ＦＡＸ等に適用してもよい。
【００８１】
次に、本発明の第２の実施の形態を図７に基づいて説明する。第２の実施の形態は、主電源遮断の指示を受け付けた際に他のジョブを実行中である場合に、主電源遮断まで待機する状態が第１の実施の形態と異なる点である。第１の実施の形態と同一部分は同一符号で示し、説明も省略する。
【００８２】
図７は、本発明の第２の実施の形態の主電源遮断処理の概略を示すフローチャートである。主電源遮断処理では、操作者によって電源自動遮断スイッチ６０が操作されることによる主電源遮断の指示を判断するまで待機する(Ｓ１１)。
【００８３】
ステップＳ１１で、電源自動遮断スイッチ６０が操作されることによる主電源遮断の指示を判断した場合には(Ｓ１１のＹ)、主電源遮断の指示を判断した時点でＲＡＭ５３に一時記憶したジョブを実行中であるか否かを判断する(Ｓ１２)。
【００８４】
ステップＳ１２で、主電源遮断の指示を判断した時点でＲＡＭ５３に一時記憶したジョブを実行中であると判断した場合には(Ｓ１２のＹ)、液晶ディスプレイの表示を遮断し、主電源ＯＮ  ＬＥＤを点滅させ(Ｓ１３)、ＲＡＭ５３に一時記憶したジョブが終了したと判断するまでジョブを続行する(Ｓ１４)。
【００８５】
ステップＳ１５で、ＲＡＭ５３に一時記憶したジョブが終了したと判断した場合には(Ｓ１５のＹ)、ソレノイドを吸引して電源自動遮断スイッチ６０をＯＦＦ側へ移動させることにより、主電源の遮断を実行して処理を終了する(Ｓ１６)。ここに、主電源遮断手段としての機能が実行される。
【００８６】
ここに、主電源の遮断の実行指示を受け付けた場合に、液晶ディスプレイＤの表示が無効とされ、主電源ＯＮ  ＬＥＤ５７ｊが点滅される。
【００８７】
これによって、ジョブを実行中に主電源遮断が指示されることにより主電源遮断が直ちに実行されない場合にも、主電源の遮断の実行を指示した操作者に対してなぜ主電源が遮断されないのかを主電源ＯＮ  ＬＥＤ５７ｊの点滅によって案内することにより、不必要な部材の使用を極力抑えて、操作者に対して主電源の遮断の指示を受け付けたことを案内することができ、より省エネ性の高い複合機１を提供することができる。
【００８８】
なお、特に図示していないが、電源遮断処理の実行中にキャンセルキーＣが操作された場合には、図５で説明したものと同様に、電源の遮断処理を中断する。
【００８９】
次に、本発明の第３の実施の形態を図８ないし図１１に基づいて説明する。第３の実施の形態は、他のジョブを実行中に主電源の遮断の実行が指示された場合における主電源の遮断の終了モードが、主電源の遮断を即実行する頁モードとしての即実行モードか、全てのジョブの終了後に主電源の遮断を実行するジョブモードかを、操作者が任意に選択可能である点が第１の実施の形態と異なる点である。
【００９０】
本実施の形態では、終了モードは、主電源の遮断の実行指示を受け付けたと判断した場合に、図８に示すように、液晶ディスプレイＤに終了モードの設定を要求するメッセージＭといずれか一方の終了モードを指定する選択キーＫとを表示させた状態で、操作者により任意に設定された終了モードが設定される。また、本実施の形態では、操作者による格別の設定がなされない場合には、デフォルトとしてジョブモードが自動的に設定される。ここに、終了モード設定手段としての機能が実行される。
【００９１】
図９は、本発明の第３の実施の形態の主電源遮断処理の概略を示すフローチャートである。主電源遮断処理では、操作者によって電源自動遮断スイッチ６０が操作されることによる主電源の遮断の実行指示を受け付けたと判断するまで待機する(Ｓ２１)。
【００９２】
ステップＳ２１で、電源自動遮断スイッチ６０が操作されることによる主電源の遮断の実行指示を受け付けたと判断した場合には(Ｓ２１のＹ)、主電源の遮断の実行指示を受け付けたと判断した時点でジョブを実行中であるか否かを判断する(Ｓ２２)。
【００９３】
ステップＳ２２で、主電源の遮断の実行指示を受け付けたと判断した時点でジョブを実行中であると判断した場合には(Ｓ２２のＹ)、図８に示すように、液晶ディスプレイＤに所定事項を表示させ(Ｓ２３)、終了モードが即実行モードに設定されているかジョブモードに設定されているかを判断する(Ｓ２４)。
【００９４】
ステップＳ２４で、終了モードが即実行モードに設定されていると判断した場合には(Ｓ２４のＹ)、実行中の頁に係る画像形成動作が終了したと判断するまで(Ｓ２６のＹ)、ジョブを続行する(Ｓ２５)。
【００９５】
ステップＳ２６で、実行中の頁に係る画像形成動作が終了したと判断した場合には(Ｓ２６のＹ)、残りジョブを不揮発ＲＡＭ５４に記憶し(Ｓ２７)、ソレノイドを吸引して電源自動遮断スイッチ６０をＯＦＦ側へ移動させることにより、主電源の遮断を実行する(Ｓ２８)。ここに、即実行モードの設定下では、画像形成動作の実行中である頁に係る画像形成動作が終了した時点で主電源が遮断される主電源遮断手段としての機能と、未終了であるジョブの内容が記憶される記憶手段としての機能が実行される。
【００９６】
ここで、本実施の形態の残りジョブとは、通信インターフェイスＳを介して受信したジョブを完全に終了していない状態で主電源を遮断した場合に、受信してＲＡＭ５３に一時記憶した全ジョブのうちでまだ終了していないジョブを意味する。残りジョブは、通常受け付けるジョブと同様に、プリント情報と、このプリント情報のプリント出力の実行を指示するコマンドとにより形成されている。
【００９７】
一方、ステップＳ２４で、終了モードが即実行モードに設定されていないと判断した場合には(Ｓ２４のＮ)、ジョブモードが設定されていると判断し、ＲＡＭ５３に一時記憶したジョブが終了したと判断するまで(Ｓ３０のＹ)、ＲＡＭ５３に一時記憶したジョブを続行する(Ｓ２９)。
【００９８】
ステップＳ３０で、ジョブが終了したと判断した場合には(Ｓ３０のＹ)、主電源の遮断の実行が指示されてからＲＡＭ５３に一時記憶したジョブを終了するまでに新たなジョブの実行を受け付けたか否かを判断する(Ｓ３１)。ここに、新ジョブ受付手段としての機能が実行される。
【００９９】
ステップＳ３１で、主電源の遮断の実行が指示されてからＲＡＭ５３に一時記憶したジョブを終了するまでに新たなジョブの実行を受け付けたと判断した場合には(Ｓ３１のＹ)、図１０に示すように、主電源の遮断の実行が指示された旨を液晶ディスプレイに表示させ(Ｓ３２)、新たなジョブが終了したと判断するまで(Ｓ３０のＹ)、当該ジョブを実行する(Ｓ３３)。
【０１００】
一方、ステップＳ３１で、主電源の遮断の実行が指示されてからＲＡＭ５３に一時記憶したジョブを終了するまでに新たなジョブの実行を受け付けていないと判断した場合には(Ｓ３１のＮ)、ステップＳ２８に進み、ソレノイドを吸引して電源自動遮断スイッチ６０をＯＦＦ側へ移動させることにより、主電源の遮断を実行する。
【０１０１】
これによって、必要に応じて、直ちに主電源を遮断することが可能になるので、状況に応じて主電源の遮断を実行するタイミングを変えることで、複合機１の利便性を向上させることができる。
【０１０２】
ここで、ステップＳ２７で不揮発ＲＡＭ５４に記憶した残りジョブの処理について図１１に基づいて説明する。図１１は、不揮発ＲＡＭ５４に残りジョブがある場合に実行する残りジョブ処理の概略を説明するフローチャートである。
【０１０３】
残りジョブ処理では、まず、装置が起動されると、コピー動作の実行が可能な状態になるまで(Ｓ３５のＹ)、ウォーミングアップ処理を行う(Ｓ３４)。
【０１０４】
ステップＳ３５で、コピー動作の実行が可能な状態になったと判断すると(Ｓ３５のＹ)、不揮発ＲＡＭ５４を検索して残りジョブの有無を判断する(Ｓ３６)。ここに、ジョブ内容判断手段としての機能が実行される。
【０１０５】
ステップＳ３６で、不揮発ＲＡＭ５４に残りジョブがあると判断すると(Ｓ３６のＹ)、この残りジョブに基づいて所定の画像形成動作を実行する(Ｓ３７)。
【０１０６】
ここに、複合機１の起動時に、前回の画像形成動作で未終了であるジョブの内容が記憶されている場合には、記憶されているジョブの内容に基づいて画像形成動作が実行される。
【０１０７】
これによって、ジョブを実行中に主電源の遮断の実行が指示された場合にも、主電源を即遮断するか実行中のジョブあるいは新たに受け付けたジョブを終了してから主電源を遮断するかを、操作者が任意に選択できる。また、ジョブの実行中に主電源を即遮断した場合にも、通信インターフェイスＳにより外部装置から受信したジョブであれば主電源を再投入後に、残りのジョブが実行されるため、操作者が再びデータを送り直すという煩雑な操作を行う必要がなく、複合機１の利便性を向上させることができる。
【０１０８】
なお、特に図示していないが、電源遮断処理の実行中にキャンセルキーＣが操作された場合には、図５で説明したものと同様に、電源の遮断処理を中断する。
【０１０９】
次に、本発明の第４の実施の形態について、図１２ないし図１３に基づいて説明する。第４の実施の形態は、主電源遮断処理の実行を受けた状態でジョブを終了した際に、当該ジョブの内容を合わせてプリント出力する点が第１の実施の形態と異なる点である。
【０１１０】
図１２は、本発明の第４の実施の形態の主電源遮断処理の概略を示すフローチャートである。主電源遮断処理では、操作者によって電源自動遮断スイッチ６０が操作されることによる主電源の遮断の実行指示を受け付けたと判断するまで待機する(Ｓ４１)。
【０１１１】
ステップＳ４１で、電源自動遮断スイッチ６０が操作されることによる主電源の遮断の実行指示を受け付けたと判断した場合には(Ｓ４１のＹ)、主電源の遮断の実行指示を判断した時点でＲＡＭ５３に一時記憶したジョブを実行中であるか否かを判断する(Ｓ４２)。
【０１１２】
ステップＳ４２で、主電源の遮断の実行指示を受け付けたと判断した時点でＲＡＭ５３に一時記憶したジョブを実行中であると判断した場合には(Ｓ４２のＹ)、図１３に示すように、液晶ディスプレイＤに所定事項を表示させ(Ｓ４３)、主電源の遮断の実行指示を受け付けた後に実行したジョブの内容を不揮発ＲＡＭ５４に記憶する(Ｓ４４)。
【０１１３】
ここで、図１３は、主電源の遮断の実行指示を受け付けたと判断した場合における液晶ディスプレイＤの表示態様を示す平面図である。液晶ディスプレイＤには、ジョブの内容をプリント出力するプリントモードとプリント出力しない非プリントモードとのいずれか一方のモードの設定を要求するメッセージＭと選択キーＫとが表示されている。この状態で、操作者によりいずれかの選択キーＫが操作されることにより、任意に設定されたモードが設定される。なお、本実施の形態では、操作者による格別の設定がなされない場合には、デフォルトとしてプリントモードが自動的に設定される。ここに、モード設定手段としての機能が実行される。
【０１１４】
そして、ＲＡＭ５３に一時記憶したジョブが終了したと判断するまで(Ｓ４６のＹ)、ＲＡＭ５３に一時記憶したジョブを続行する(Ｓ４５)。
【０１１５】
ステップＳ４６で、ＲＡＭ５３に一時記憶したジョブが終了したと判断した場合には(Ｓ４６のＹ)、主電源の遮断の実行が指示されてからＲＡＭ５３に一時記憶したジョブを終了するまでにあらたなジョブの実行を受け付けたか否かを判断する(Ｓ４７)。
【０１１６】
ステップＳ４７で、主電源の遮断の実行が指示されてからＲＡＭ５３に一時記憶したジョブを終了するまでに新たなジョブの実行を受け付けたと判断した場合には(Ｓ４７のＹ)、少なくとも主電源の遮断の実行指示を受け付けた後に実行したジョブに係る画像形成動作の実行時刻を含むジョブ内容を不揮発ＲＡＭ５４に記憶し(Ｓ４４)、新たなジョブが終了したと判断するまで(Ｓ４６のＹ)、ジョブを続行する(Ｓ４５)。
【０１１７】
一方、ステップＳ４７で、主電源の遮断の実行が指示されてからＲＡＭ５３に一時記憶したジョブを終了するまでに新たなジョブの実行を受け付けていないと判断した場合には(Ｓ４７のＮ)、プリントモードが設定されているか否かを判断する(Ｓ４８)。
【０１１８】
ステップＳ４８で、プリントモードが設定されていると判断した場合には(Ｓ４８のＹ)、不揮発ＲＡＭ５４に記憶されているジョブ内容を単一の用紙に印字出力し(Ｓ４９)、ソレノイドを吸引して電源自動遮断スイッチ６０をＯＦＦ側へ移動させることにより、主電源の遮断を実行する(Ｓ５０)。ここに、プリント手段としての機能、および、主電源遮断手段としての機能が実行される。
【０１１９】
一方、ステップＳ４８で、プリントモードが設定されていないと判断した場合には(Ｓ４８のＮ)、そのままソレノイドを吸引して電源自動遮断スイッチ６０をＯＦＦ側へ移動させることにより、主電源の遮断を実行する(Ｓ５０)。
【０１２０】
ここに、画像形成動作が終了した場合に、不揮発ＲＡＭ５４に記憶されたジョブの内容がプリント出力される。
【０１２１】
プリント出力に際しては、不揮発ＲＡＭ５４に記憶されているジョブ内容が単一用紙にプリント出力されるが、不揮発ＲＡＭ５４に記憶されているジョブ内容が多量である場合には、プリント情報が複数枚に亘って印字出力される。
【０１２２】
不揮発ＲＡＭ５４に記憶される内容は、少なくとも当該ジョブを実行した時刻を含んでいる。これによって、馴染み易い情報をプリント出力することにより、プリント出力を指示した以外の者にも、プリント出力された用紙の分別を容易にさせることができる。
【０１２３】
これによって、主電源の遮断に際して操作者が周囲にいない場合にも、実行したジョブの内容を案内することが可能になるので、非使用時における無駄な電力の消費を抑制するとともに、例えば電源の遮断を指示した直後に装置から離れてしまった場合にも、操作者に対して、主電源の遮断の実行が指示された際にプリント出力した用紙を容易に分別させることができる。
【０１２４】
なお、特に図示していないが、電源遮断処理の実行中にキャンセルキーＣが操作された場合には、図５で説明したものと同様に、電源の遮断処理を中断する。
【０１２５】
次に、本発明の第５の実施の形態について図１４に基づいて説明する。第５の実施の形態は、不揮発ＲＡＭ５４に記憶したジョブ内容毎に異なる用紙に印字出力する点が第４の実施の形態と異なる点である。
【０１２６】
図１４は、本発明の第５の実施の形態の主電源遮断処理の概略を示すフローチャートである。主電源遮断処理では、操作者によって電源自動遮断スイッチ６０が操作されることによる主電源の遮断の実行指示を受け付けたと判断するまで待機する(Ｓ６１)。
【０１２７】
ステップＳ６１で、電源自動遮断スイッチ６０が操作されることによる主電源の遮断の実行指示を受け付けたと判断した場合には(Ｓ６１のＹ)、主電源の遮断の実行指示を受け付けたと判断した時点でＲＡＭ５３に一時記憶したジョブを実行中であるか否かを判断する(Ｓ６２)。
【０１２８】
ステップＳ６２で、主電源の遮断の実行指示を受け付けたと判断した時点でＲＡＭ５３に一時記憶したジョブを実行中であると判断した場合には(Ｓ６２のＹ)、図１３に示すように、液晶ディスプレイに所定事項を表示させ(Ｓ６３)、主電源の遮断の実行指示を受け付けた後に実行したジョブの内容を不揮発ＲＡＭ５４に記憶する(Ｓ６４)。
【０１２９】
そして、新たなジョブが終了したと判断するまで(Ｓ６６のＹ)、ジョブを続行する(Ｓ６５)。
【０１３０】
ステップＳ６６で、新たなジョブが終了したと判断した場合には(Ｓ６６のＹ)、プリントモードが設定されているか否かを判断する(Ｓ６７)。
【０１３１】
ステップＳ６７で、プリントモードが設定されていると判断した場合には(Ｓ６７のＹ)、不揮発ＲＡＭ５４に記憶されているジョブ内容を単一のジョブ毎に異なる用紙にプリント出力し(Ｓ６８)、主電源の遮断の実行が指示されてからＲＡＭ５３に一時記憶したジョブを終了するまでに新たなジョブを受け付けたか否かを判断する(Ｓ６９)。
【０１３２】
ステップＳ６９で、主電源の遮断の実行が指示されてからＲＡＭ５３に一時記憶したジョブを終了するまでに新たなジョブを受け付けたと判断した場合には(Ｓ６９のＹ)、主電源の遮断の実行指示を受け付けた後に実行したジョブ内容を不揮発ＲＡＭ５４に記憶し(Ｓ６４)、新たなジョブが終了したと判断するまで(Ｓ６６のＹ)、ジョブを続行する(Ｓ６５)。
【０１３３】
ステップＳ６４からステップＳ６９の処理は、主電源の遮断の実行が指示されてからＲＡＭ５３に一時記憶したジョブを終了するまでに受け付けた新たなジョブ、または、既に受け付けたジョブ等の他のジョブがないと判断するまで繰り返して実行する。
【０１３４】
一方、ステップＳ６９で、新たなジョブがないと判断した場合には(Ｓ６９のＮ)、そのままソレノイドを吸引して電源自動遮断スイッチ６０をＯＦＦ側へ移動させることにより、主電源の遮断を実行する(Ｓ７０)。
【０１３５】
ここに、不揮発ＲＡＭ５４に記憶されたジョブの内容が単一のジョブが終了する毎にプリント出力される。
【０１３６】
これによって、主電源の遮断に際して操作者が周囲にいない場合にも、実行したジョブの内容をジョブ毎に案内することが可能になるので、例えば、１トレイに複数のジョブに係る用紙が積層され、電源の遮断を指示した直後に装置から離れてしまった場合にも、実行した内容が後からでも容易に判断させることができる。
【０１３７】
なお、特に図示していないが、電源遮断処理の実行中にキャンセルキーＣが操作された場合には、図５で説明したものと同様に、電源の遮断処理を中断する。
以上説明してきた画像形成装置によれば、遮断受付手段によって主電源の遮断の実行指示が受け付けられ、実行中判断手段によって画像形成手段による画像形成動作の実行中であると判断された場合には、主電源の遮断の実行指示が受け付けられた旨を案内する案内情報が表示手段によって表示部に表示される。終了判断手段によって画像形成動作が終了したと判断された場合には、主電源遮断手段によって主電源が遮断される。これによって、画像形成動作の実行中に主電源の遮断指示を受け付けた場合にも、実行中の画像形成動作に支障を来たすことなく、操作者に対して、主電源の遮断の実行指示を受け付けた旨を案内することが可能になる。
そして、主電源の遮断の実行指示を受け付け、画像形成動作の実行中であると判断した場合に、主電源の遮断の実行指示を受け付けた旨を案内する案内情報を表示部に表示させ、画像形成動作が終了したと判断した場合に、主電源を遮断することにより、画像形成動作の実行中に主電源の遮断指示を受け付けた場合にも、実行中の画像形成動作に支障を来たすことなく、操作者に対して、主電源の遮断の実行指示を受け付けた旨を案内することが可能になるので、非使用時における無駄な電力の消費を抑制し、操作者に対して、主電源遮断の実行指示を受け付けたことを直ちに案内することで、操作者に対する心理的な不安を解消することができる。
また、新ジョブ受付手段によって受け付けられた新たなジョブに係る画像形成動作が、終了判断手段によって終了したと判断された場合に、主電源が遮断されるようにすれば、主電源の遮断の実行指示を受け付けた後に受け付けた新たなジョブを、主電源を遮断する前に実行することが可能になる。
そして、受け付けた新たなジョブに係る画像形成動作が終了したと判断した場合に、主電源を遮断するようにすれば、主電源の遮断の実行指示を受け付けた後に受け付けた新たなジョブを、主電源を遮断する前に実行することが可能になるので、非使用時における無駄な電力の消費を抑制し、煩雑な操作を解消して利便性を向上させることができる。
また、主電源の遮断の実行指示が受け付けられた後に新たなジョブが受け付けられた場合には、新たなジョブを受け付けた旨と新たなジョブに係る画像形成動作終了後に主電源を遮断する旨とを案内する前記案内情報が表示部に表示されるようにすれば、主電源の遮断の実行指示を受け付けた後に受け付けた新たなジョブに係る画像形成動作を主電源を遮断する前に実行するとともに、操作者に対して、主電源の遮断の実行指示を受け付けた旨を案内することが可能になる。
そして、主電源の遮断の実行指示を受け付けた後に新たなジョブを受け付けた場合に、新たなジョブを受け付けた旨と新たなジョブに係る画像形成動作終了後に主電源を遮断する旨とを案内する案内情報を表示部に表示させるようにすれば、主電源の遮断の実行指示を受け付けた後に受け付けた新たなジョブに係る画像形成動作を主電源を遮断する前に実行するとともに、操作者に対して、主電源の遮断の実行指示を受け付けた旨を案内することが可能になるので、非使用時における無駄な電力の消費を抑制し、操作者に対する心理的な不安を解消するとともに煩雑な操作を解消して利便性を向上させることができる。
また、主電源の遮断の実行指示が受け付けられた場合には、残り時間算出手段によって算出された残り時間が表示手段によって表示部に表示されるようにすれば、操作者に対して、主電源の遮断までの残り時間を案内することで、操作者に対して、心理的な不安を解消させることが可能になる。
そして、主電源の遮断の実行指示を受け付けた場合に、算出した残り時間を表示部に表示させるようにすれば、操作者に対して、主電源の遮断までの残り時間を案内することで、操作者に対して、心理的な不安を解消させることが可能になるので、操作者に対する心理的な不安を解消することができる。
また、主電源の遮断の実行指示が受け付けられた場合には、表示手段が無効とされ、ＬＥＤランプが点滅されるようにすれば、不必要な部材を駆動させずに、操作者に対して、主電源の遮断の実行指示を受け付けた旨を案内することが可能になる。
そして、主電源の遮断の実行指示を受け付けた場合に、表示手段を無効とし、ＬＥＤランプを点滅させるようにすれば、不必要な部材を駆動させずに、操作者に対して、主電源の遮断の実行指示を受け付けた旨を案内することが可能になるので、より省エネ性を向上させることができる。
また、主電源の遮断の実行指示が受け付けられた場合でも、中止受付手段による主電源の遮断の実行中止の指示が受け付けられていないと中止判断手段によって判断された場合にのみ主電源が遮断されるようにすれば、一度受け付けた主電源の遮断の実行指示を取り消すことが可能になる。
そして、主電源の遮断の実行指示を受け付けた場合でも、主電源の遮断の実行中止の指示を受け付けていない場合にのみ主電源を遮断するようにすれば、一度受け付けた主電源の遮断の実行指示を取り消すことが可能になるので、操作者に対して、利便性の高い画像形成装置を提供することができる。
また、新ジョブ受付手段によって新たなジョブが受け付けられたと判断され、かつ、頁終了判断手段によって該当頁に係る画像形成動作が終了したと判断された場合にのみ主電源が遮断ようにすれば、頁単位での画像形成動作に関して支障を来たすことなく、主電源の遮断の実行指示の受け付け後、迅速に主電源を遮断することが可能になる。
そして、主電源の遮断の実行指示の受け付け後に新たなジョブを受け付けたと判断し、かつ、該当頁に係る画像形成動作を終了したと判断した場合にのみ主電源を遮断するようにすれば、頁単位での画像形成動作に関して支障を来たすことなく、主電源の遮断の実行指示の受け付け後、迅速に主電源を遮断することが可能になるので、非使用時における無駄な電力の消費を抑制することができる。
また、終了モード設定手段によって頁モードとジョブモードとが切替自在に設定されるようにすれば、状況に応じて、適宜電源を遮断することができる。
そして、頁モードとジョブモードとを切替自在に設定するようにすれば、状況に応じて、適宜電源を遮断することができるので、非使用時における無駄な電力の消費を抑制し、状況に応じて主電源の遮断を実行するタイミングを変えることで利便性を向上させることができる。
また、該当頁に係る画像形成動作が終了したと判断された時点で主電源が遮断された場合には、未終了であるジョブの内容が記憶手段によって不揮発性の記憶領域に記憶されるようにすれば、操作者に対して、中断したジョブの内容を追って確認させることが可能になる。
そして、該当頁に係る画像形成動作が終了したと判断した時点で主電源を遮断した場合に、未終了であるジョブの内容を不揮発性の記憶領域に記憶するようにすれば、操作者に対して、中断したジョブの内容を追って確認させることが可能になるので、非使用時における無駄な電力の消費を抑制し、主電源遮断後にも主電源が遮断される以前に実行されていたジョブ内容を案内することで利便性を向上させることができる。
また、装置本体の起動時に、ジョブ内容判断手段によって未終了であるジョブの内容が記憶されていると判断された場合には、記憶されているジョブの内容に基づいて画像形成動作が実行されるようにすれば、、前回の画像形成動作に際して未終了であったジョブを、装置本体の起動時に、自動的に終了させることが可能になる。
そして、装置本体の起動時に、未終了であるジョブの内容が記憶されていると判断した場合に、記憶されているジョブの内容に基づいて画像形成動作を実行するようにすれば、前回の画像形成動作に際して未終了であったジョブを、装置本体の起動時に、自動的に終了させることが可能になるので、非使用時における無駄な電力の消費を抑制し、主電源遮断後にも主電源が遮断される以前に実行されていたジョブ内容を案内することで利便性を向上させることができる。
また、主電源の遮断の実行指示が受け付けられた場合には、記憶手段によって記憶領域に記憶されているジョブの内容がプリント手段によってプリント出力されるようにすれば、主電源の遮断に際して、操作者が周囲にいない場合にも、実行したジョブの内容を確実に案内することが可能になる。
そして、主電源の遮断の実行指示を受け付けた場合に、記憶領域に記憶されているジョブの内容をプリント出力するようにすれば、主電源の遮断に際して、操作者が周囲にいない場合にも、実行したジョブの内容を確実に案内することが可能になるので、非使用時における無駄な電力の消費を抑制し、操作者に対して、主電源の遮断の実行が指示された際に実行した画像形成動作の内容を容易に把握させることができる。
また、モード設定手段によってプリントモードと非プリントモードとが切替自在に設定されるようにすれば、例えば主電源の遮断に際して、操作者が周囲にいなくなるような場合にプリントモードを設定することにより、必要時のみにジョブの内容をプリント出力することが可能になる。
そして、プリントモードと非プリントモードとを切替自在に設定するようにすれば、例えば主電源の遮断に際して、操作者が周囲にいなくなるような場合にプリントモードを設定することで、状況に応じて必要時のみにジョブの内容をプリント出力することが可能になるので、用紙を不必要に消費することなくより省エネ性の高い画像形成装置を得ることができる。
また、プリント手段によって単一のジョブに係る画像形成動作毎にプリント出力されるようにすれば、主電源の遮断に際して、操作者が周囲にいない場合にも、実行したジョブの内容をジョブ毎に確実に案内することが可能になる。
そして、単一のジョブに係る画像形成動作毎にプリント出力するようにすれば、主電源の遮断に際して、操作者が周囲にいない場合にも、実行したジョブの内容をジョブ毎に確実に案内することが可能になるので、非使用時における無駄な電力の消費を抑制し、操作者に対して、主電源の遮断の実行が指示された際に実行した画像形成動作の内容を容易に把握させることができる。
また、プリント手段によってジョブの内容が単一の用紙に対してプリント出力されるようにすれば、不必要な用紙の消費を低減することが可能になる。
そして、ジョブの内容を単一の用紙に対してプリント出力するようにすれば、不必要な用紙の消費を低減することが可能になるので、より省エネ性の高い画像形成装置を得ることができる。
また、少なくともタイマにより計測される画像形成動作の実行時刻がジョブの内容として記憶されるようにすれば、誰に対しても認識しやすい情報をプリント出力することにより、プリント出力されたジョブ内容を容易に把握させることが可能になる。
そして、少なくともタイマによって計測した画像形成動作の実行時刻をジョブの内容として記憶するようにすれば、誰に対しても認識しやすい情報をプリント出力して、プリント出力されたジョブ内容を容易に把握させることが可能になるので、利便性の高い画像形成装置を得ることができる。
【０１３８】
【発明の効果】
以上説明してきたように、この発明の画像形成装置によれば、非使用時における無駄な電力の消費を抑制し、状況に応じて主電源の遮断を実行するタイミングを変えることで利便性を向上させることができる。
【図面の簡単な説明】
【図１】本発明の第１の実施の形態の複合機１の概略構成を示す縦断正面図である。
【図２】操作部を示す平面図である。
【図３】通常状態の複合機の液晶ディスプレイの表示態様を示す平面図である。
【図４】複合機の制御系の電気的な接続を示すブロック図である。
【図５】主電源遮断処理の概略を示すフローチャートである。
【図６】複合機の液晶ディスプレイの表示態様を示す平面図である。
【図７】本発明の第２の実施の形態の主電源遮断処理の概略を示すフローチャートである。
【図８】本発明の第３の実施の形態の液晶ディスプレイの表示態様を示す平面図である。
【図９】本発明の第３の実施の形態の主電源遮断処理の概略を示すフローチャートである。
【図１０】複合機の液晶ディスプレイの表示態様を示す平面図である。
【図１１】不揮発ＲＡＭ５４に残りジョブがある場合に実行する残りジョブ処理の概略を説明するフローチャートである。
【図１２】本発明の第４の実施の形態の主電源遮断処理の概略を示すフローチャートである。
【図１３】複合機の液晶ディスプレイの表示態様を示す平面図である。
【図１４】本発明の第５の実施の形態の主電源遮断処理の概略を示すフローチャートである。
【符号の説明】
１      画像形成装置
５４      記憶領域、不揮発性の記憶領域
５６      タイマ
５７ｂ    ジョブ受付手段
５７ｊ    ＬＥＤランプ
６０      遮断受付手段
Ｄ      表示部
Ｍ      案内情報
Ｓ      ジョブ受付手段
【図１】
0004316768.tif 000002
【図２】
0004316768.tif 000003
【図３】
0004316768.tif 000004
【図４】
0004316768.tif 000005
【図５】
0004316768.tif 000006
【図６】
0004316768.tif 000007
【図７】
0004316768.tif 000008
【図８】
0004316768.tif 000009
【図９】
0004316768.tif 000010
【図１０】
0004316768.tif 000011
【図１１】
0004316768.tif 000012
【図１２】
0004316768.tif 000013
【図１３】
0004316768.tif 000014
【図１４】
0004316768.tif 000015